(57)【要約】【課題】操作スイッチの特定操作で複数の用途毎に使用するそれぞれのカウンタや学習値を容易にリセットする。【解決手段】操作スイッチ１８と、前記操作スイッチ１８の操作により学習値リセット操作かどうかを判定する学習値リセット操作判定手段１９と、前記学習値リセット操作された場合に表示させる表示手段２０と、前記学習値リセット操作判定手段１９と前記表示手段２０とから何の学習値をリセットするかを確定した際に所定の学習値をリセットする学習値リセット手段２２と、各種の学習手段を備えた構成としてある。【選択図】図１
2005195241.tif 000002
【特許請求の範囲】
【請求項１】
操作スイッチと、前記操作スイッチの操作により学習値リセット操作かどうかを判定する学習値リセット操作判定手段と、前記学習値リセット操作された場合に表示させる表示手段と、前記学習値リセット操作判定手段と前記表示手段とから何の学習値をリセットするかを確定した際に所定の学習値をリセットする学習値リセット手段と、給水からの水を湯に換える給湯熱交換器と、前記給湯熱交換器からの流量を制御する水量制御弁と、前記水量制御弁の駆動位置等を学習する水量制御学習手段を備えた給湯制御装置。
【請求項２】
操作スイッチと、前記操作スイッチの操作により学習値リセット操作かどうかを判定する学習値リセット操作判定手段と、前記学習値リセット操作された場合に表示させる表示手段と、前記学習値リセット操作判定手段と前記表示手段とから何の学習値をリセットするかを確定した際に所定の学習値をリセットする学習値リセット手段と、給水からの水を湯に換える給湯熱交換器と、前記給湯熱交換器を加熱する燃焼バーナと、前記燃焼バーナの燃焼量を学習する燃焼量学習手段を備えた給湯制御装置。
【請求項３】
操作スイッチと、前記操作スイッチの操作により学習値リセット操作かどうかを判定する学習値リセット操作判定手段と、前記学習値リセット操作された場合に表示させる表示手段と、前記学習値リセット操作判定手段と前記表示手段とから何の学習値をリセットするかを確定した際に所定の学習値をリセットする学習値リセット手段と、給水からの水を湯に換える給湯熱交換器と、前記給湯熱交換器に異常がないかを判断する給湯自己診断学習手段を備えた給湯制御装置。
【請求項４】
操作スイッチと、前記操作スイッチの操作により学習値リセット操作かどうかを判定する学習値リセット操作判定手段と、前記学習値リセット操作された場合に表示させる表示手段と、前記学習値リセット操作判定手段と前記表示手段とから何の学習値をリセットするかを確定した際に所定の学習値をリセットする学習値リセット手段と、暖房温水を加熱する暖房熱交換器と、前記暖房熱交換器に異常がないかを判断する暖房自己診断学習手段を備えた給湯制御装置。
【請求項５】
操作スイッチと、前記操作スイッチの操作により学習値リセット操作かどうかを判定する学習値リセット操作判定手段と、前記学習値リセット操作された場合に表示させる表示手段と、前記学習値リセット操作判定手段と前記表示手段とから何の学習値をリセットするかを確定した際に所定の学習値をリセットする学習値リセット手段と、給水からの水を湯に換える給湯熱交換器と、前記給湯熱交換器からの湯を浴槽に注湯する注湯電磁弁と、前記注湯電磁弁を開けて浴槽への湯張りをする際に湯張りに必要な学習値を学習する湯張り運転学習手段を備えた給湯制御装置。
【請求項６】
操作スイッチと、前記操作スイッチの操作により学習値リセット操作かどうかを判定する学習値リセット操作判定手段と、前記学習値リセット操作された場合に表示させる表示手段と、前記学習値リセット操作判定手段と前記表示手段とから何の学習値をリセットするかを確定した際に所定の学習値をリセットする学習値リセット手段と、暖房温水を加熱する暖房熱交換器と、暖房運転が正常に行えるかを判断する暖房試運転学習手段を備えた給湯制御装置。
【請求項７】
操作スイッチと、前記操作スイッチの操作により学習値リセット操作かどうかを判定する学習値リセット操作判定手段と、前記学習値リセット操作された場合に表示させる表示手段と、前記学習値リセット操作判定手段と前記表示手段とから何の学習値をリセットするかを確定した際に所定の学習値をリセットする学習値リセット手段と、前記給湯熱交換器あるいは暖房熱交換器を加熱する燃焼バーナと、前記燃焼バーナからの排気ガス中のＣＯ濃度を測定するＣＯセンサーと、前記ＣＯセンサーからのＣＯ濃度を学習するＣＯセンサー値学習手段を備えた給湯制御装置。
【請求項８】
操作スイッチと、前記操作スイッチの操作により学習値リセット操作かどうかを判定する学習値リセット操作判定手段と、前記学習値リセット操作された場合に表示させる表示手段と、前記学習値リセット操作判定手段と前記表示手段とから何の学習値をリセットするかを確定した際に所定の学習値をリセットする学習値リセット手段と、給水からの水を湯に換える給湯熱交換器と、前記給湯熱交換器からの湯を浴槽に注湯する注湯電磁弁と、前記注湯電磁弁を開けて浴槽への湯張りをする際に浴槽に流れる流量を検出する注湯流量センサーと、給水側の流量を検出する給湯流量センサーと、前記注湯流量センサーと給湯流量センサーの補正をする注湯流量補正手段を備えた給湯制御装置。
【請求項９】
前記それぞれの学習値を記憶する不揮発性メモリーを備えた請求項１〜８のいずれか１項記載の給湯制御装置。
【発明の詳細な説明】
【技術分野】
【０００１】
本発明は、複数の学習値をリセットする給湯機の制御装置に関するものである。
【背景技術】
【０００２】
従来、ガス給湯機では、燃焼運転状態の異常の自己診断を行い、異常の進行度が段階的に進む毎にカウントアップしていく。燃焼運転状態が正常になるように器具内の清掃を行った場合は、カウンタをリセットする必要がある。カウンタをリセットする際は、兼用スイッチを使用して操作ルールと照合して一致した場合にカウンタをリセットしていた（例えば、特許文献１参照）。
【特許文献１】特開平８−２００６６６号公報
【発明の開示】
【発明が解決しようとする課題】
【０００３】
しかしながら、複数の用途毎に使用するそれぞれのカウンタや学習値をリセットする場合に、複数の用途毎に操作ルールが必要となる。また、限られた操作スイッチでは、複数の用途毎に使用するそれぞれのカウンタや学習値をリセットすることが複雑になってしまうという課題があった。
【０００４】
本発明は、上記課題を解決するもので、容易に、複数の用途毎に使用するそれぞれのカウンタや学習値をリセットすることを目的とする。
【課題を解決するための手段】
【０００５】
前記従来の課題を解決するために、本発明の給湯制御装置は、操作スイッチと、前記操作スイッチの操作により学習値リセット操作かどうかを判定する学習値リセット操作判定手段と、前記学習値リセット操作された場合に表示させる表示手段と、前記学習値リセット操作判定手段と前記表示手段とから何の学習値をリセットするかを確定した際に所定の学習値をリセットする学習値リセット手段と、各種の学習手段を備えた構成としたものである。
【０００６】
これによって、操作スイッチにより予め決めた特殊な操作をすることで、複数の学習値がリセットできる状態とする。複数の学習値がリセットできる状態であることを表示手段に表示させる。さらに操作スイッチを操作することで表示手段に表示される番号により特定の学習値リセットしたい項目を選択して学習値をリセットできるようにすることで、容易に複数の学習値リセット項目の中から特定の学習値をリセットすることができることとなる。
【発明の効果】
【０００７】
本発明の給湯制御装置は、操作スイッチにより予め決めた特殊な操作をすることで、複数の学習値がリセットできる状態とする。複数の学習値がリセットできる状態であることを表示手段に表示させる。さらに操作スイッチを操作することで表示手段に表示される番号により特定の学習値リセットしたい項目を選択して学習値をリセットできるようにすることで、容易に複数の学習値リセット項目の中から特定の学習値をリセットすることができる。
【発明を実施するための最良の形態】
【０００８】
第１の発明は、操作スイッチと、前記操作スイッチの操作により学習値リセット操作かどうかを判定する学習値リセット操作判定手段と、前記学習値リセット操作された場合に表示させる表示手段と、前記学習値リセット操作判定手段と前記表示手段とから何の学習値をリセットするかを確定した際に所定の学習値をリセットする学習値リセット手段と、給水からの水を湯に換える給湯熱交換器と、前記給湯熱交換器からの流量を制御する水量制御弁と、前記水量制御弁の駆動位置等を学習する水量制御学習手段を備えたことにより、操作スイッチにより予め決めた特殊な操作をすることで、複数の学習値がリセットできる状態とする。複数の学習値がリセットできる状態であることを表示手段に表示させる。さらに操作スイッチを操作することで表示手段に表示される番号により水量制御の学習値リセットを選択して学習値をリセットできるようにすることで、容易に複数の学習値リセット項目の中から水量制御の学習値をリセットすることができる。
【０００９】
第２の発明は、操作スイッチと、前記操作スイッチの操作により学習値リセット操作かどうかを判定する学習値リセット操作判定手段と、前記学習値リセット操作された場合に表示させる表示手段と、前記学習値リセット操作判定手段と前記表示手段とから何の学習値をリセットするかを確定した際に所定の学習値をリセットする学習値リセット手段と、給水からの水を湯に換える給湯熱交換器と、前記給湯熱交換器を加熱する燃焼バーナと、前記燃焼バーナの燃焼量を学習する燃焼量学習手段を備えたことにより、操作スイッチにより予め決めた特殊な操作をすることで、複数の学習値がリセットできる状態とする。複数の学習値がリセットできる状態であることを表示手段に表示させる。さらに操作スイッチを操作することで表示手段に表示される番号により燃焼量の学習値リセットを選択して学習値をリセットできるようにすることで、容易に複数の学習値リセット項目の中から燃焼量の学習値をリセットすることができる。
【００１０】
第３の発明は、操作スイッチと、前記操作スイッチの操作により学習値リセット操作かどうかを判定する学習値リセット操作判定手段と、前記学習値リセット操作された場合に表示させる表示手段と、前記学習値リセット操作判定手段と前記表示手段とから何の学習値をリセットするかを確定した際に所定の学習値をリセットする学習値リセット手段と、給水からの水を湯に換える給湯熱交換器と、前記給湯熱交換器に異常がないかを判断する給湯自己診断学習手段を備えたことにより、操作スイッチにより予め決めた特殊な操作をすることで、複数の学習値がリセットできる状態とする。複数の学習値がリセットできる状態であることを表示手段に表示させる。さらに操作スイッチを操作することで表示手段に表示される番号により給湯自己診断の学習値リセットを選択して学習値をリセットできるようにすることで、容易に複数の学習値リセット項目の中から給湯自己診断の学習値をリセットすることができる。
【００１１】
第４の発明は、操作スイッチと、前記操作スイッチの操作により学習値リセット操作かどうかを判定する学習値リセット操作判定手段と、前記学習値リセット操作された場合に表示させる表示手段と、前記学習値リセット操作判定手段と前記表示手段とから何の学習値をリセットするかを確定した際に所定の学習値をリセットする学習値リセット手段と、暖房温水を加熱する暖房熱交換器と、前記暖房熱交換器に異常がないかを判断する暖房自己診断学習手段を備えたことにより、操作スイッチにより予め決めた特殊な操作をすることで、複数の学習値がリセットできる状態とする。複数の学習値がリセットできる状態であることを表示手段に表示させる。さらに操作スイッチを操作することで表示手段に表示される番号により暖房自己診断の学習値リセットを選択して学習値をリセットできるようにすることで、容易に複数の学習値リセット項目の中から暖房自己診断の学習値をリセットすることができる。
【００１２】
第５の発明は、操作スイッチと、前記操作スイッチの操作により学習値リセット操作かどうかを判定する学習値リセット操作判定手段と、前記学習値リセット操作された場合に表示させる表示手段と、前記学習値リセット操作判定手段と前記表示手段とから何の学習値をリセットするかを確定した際に所定の学習値をリセットする学習値リセット手段と、給水からの水を湯に換える給湯熱交換器と、前記給湯熱交換器からの湯を浴槽に注湯する注湯電磁弁と、前記注湯電磁弁を開けて浴槽への湯張りをする際に湯張りに必要な学習値を学習する湯張り運転学習手段を備えたことにより、操作スイッチにより予め決めた特殊な操作をすることで、複数の学習値がリセットできる状態とする。複数の学習値がリセットできる状態であることを表示手段に表示させる。さらに操作スイッチを操作することで表示手段に表示される番号により湯張り運転の学習値リセットを選択して学習値をリセットできるようにすることで、容易に複数の学習値リセット項目の中から湯張り運転の学習値をリセットすることができる。
【００１３】
第６の発明は、操作スイッチと、前記操作スイッチの操作により学習値リセット操作かどうかを判定する学習値リセット操作判定手段と、前記学習値リセット操作された場合に表示させる表示手段と、前記学習値リセット操作判定手段と前記表示手段とから何の学習値をリセットするかを確定した際に所定の学習値をリセットする学習値リセット手段と、暖房温水を加熱する暖房熱交換器と、暖房運転が正常に行えるかを判断する暖房試運転学習手段を備えた制御装置とすることにより、操作スイッチにより予め決めた特殊な操作をすることで、複数の学習値がリセットできる状態とする。複数の学習値がリセットできる状態であることを表示手段に表示させる。さらに操作スイッチを操作することで表示手段に表示される番号に暖房試運転の学習値リセットを選択して学習値をリセットできるようにすることで、容易に複数の学習値リセット項目の中から暖房試運転の学習値をリセットすることができる。
【００１４】
第７の発明は、操作スイッチと、前記操作スイッチの操作により学習値リセット操作かどうかを判定する学習値リセット操作判定手段と、前記学習値リセット操作された場合に表示させる表示手段と、前記学習値リセット操作判定手段と前記表示手段とから何の学習値をリセットするかを確定した際に所定の学習値をリセットする学習値リセット手段と、前記給湯熱交換器あるいは暖房熱交換器を加熱する燃焼バーナと、前記燃焼バーナからの排気ガス中のＣＯ濃度を測定するＣＯセンサーと、前記ＣＯセンサーからのＣＯ濃度を学習するＣＯセンサー値学習手段を備えたことにより、操作スイッチにより予め決めた特殊な操作をすることで、複数の学習値がリセットできる状態とする。複数の学習値がリセットできる状態であることを表示手段に表示させる。さらに操作スイッチを操作することで表示手段に表示される番号にＣＯセンサー値の学習値リセットを選択して学習値をリセットできるようにすることで、容易に複数の学習値リセット項目の中からＣＯセンサー値の学習値をリセットすることができる。
【００１５】
第８の発明は、操作スイッチと、該操作スイッチの操作により学習値リセット操作かどうかを判定する学習値リセット操作判定手段と、前記学習値リセット操作された場合に表示させる表示手段と、前記学習値リセット操作判定手段と前記表示手段とから何の学習値をリセットするかを確定した際に所定の学習値をリセットする学習値リセット手段と、給水からの水を湯に換える給湯熱交換器と、前記給湯熱交換器からの湯を浴槽に注湯する注湯電磁弁と、前記注湯電磁弁を開けて浴槽への湯張りをする際に浴槽に流れる流量を検出する注湯流量センサーと、給水側の流量を検出する給湯流量センサーと、前記注湯流量センサーと給湯流量センサーの補正をする注湯流量補正手段を備えたことにより、操作スイッチにより予め決めた特殊な操作をすることで、複数の学習値がリセットできる状態とする。複数の学習値がリセットできる状態であることを表示手段に表示させる。さらに操作スイッチを操作することで表示手段に表示される番号に注湯流量補正の学習値リセットを選択して学習値をリセットできるようにすることで、容易に複数の学習値リセット項目の中から注湯流量補正の学習値をリセットすることができる。
【００１６】
第９の発明は、特に、第１〜８の発明の学習手段に、それぞれの学習値を記憶する不揮発性メモリーを備えたとにより、特定の学習値をリセットした際に関連する不揮発性メモリーのデータもリセットすることで、停電復帰時等にも学習値がリセットされた記憶を保持することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における給湯機の構成図である。
【００１９】
図において、２は給湯熱交換器で水を湯に換える。３は暖房熱交換器で接続した暖房端末２６に温水を供給する。４は給湯燃焼バーナで給湯熱交換器２を加熱する。５は暖房燃焼バーナで暖房熱交換器３を加熱する。６は注湯電磁弁で湯はりする際に開け浴槽２４に注湯する。７は注湯流量センサーで注湯電磁弁６を開け浴槽２４に注湯する際に流れる流量を検出する。２３は給湯流量センサーで給湯栓２５や浴槽２４に流れる流量を検出する。８はＣＯセンサーで給湯燃焼バーナ４か、暖房燃焼バーナ５から排出する排気ガス中のＣＯ濃度を検出する。９は水量制御弁で給湯栓２５側あるいは、浴槽２４側に流れる流量を制御する。１０は水量制御学習手段で使用者が給湯栓２５の使用を安定して使用していると判断した際に水量制御弁９の位置を学習、記憶しておき、再度使用者が使用した時には即座に水量制御弁９の水量制御位置を学習した位置にすることで使用したい湯温あるいは流量になるように制御する。１１は給湯燃焼量学習手段で使用者が給湯栓２５の使用を安定して使用していると判断した際に給湯燃焼バーナ４の燃焼量を学習、記憶しておき、再度使用者が使用した時には即座に給湯燃焼バーナ４の燃焼量を学習した燃焼量で燃焼させることで使用したい湯温になるようにする。１２は給湯自己診断学習手段で、給湯熱交換器２や給湯燃焼バーナ４に誇り等が詰まった場合や、経年変化で使用できなくなったことを判断するための判定および学習を行うものである。１３は暖房自己診断学習手段で、暖房熱交換器３や暖房燃焼バーナ５に誇り等が詰まった場合や、経年変化で使用できなくなったことを判断するための判定および学習を行うものである１４は湯張り運転学習手段で、使用者が浴槽２４に湯張りを行う際に、浴槽２４の形状や熱源機１と浴槽２４間の循環流量あるいは浴槽２４への湯はり時間等を記憶、学習することで使用者が使用する際の湯張り時間を短くすることができる。１５は暖房試運転学習手段で、施工者が正常に施行できているかを確認する。この際に暖房試運転を行い、熱源機１に接続されている暖房端末２６が正常に接続できているか、あるいは接続されている暖房端末２６に温水を供給できるかの判断を行い、その判断結果を学習、記憶するものである。１６は注湯流量補正手段で、注湯電磁弁６を開け浴槽２４に注湯する際に、給湯流量センサー２３と注湯流量センサー７の流量は、給湯栓２５が使用していないと同じ流量である。しかし、個体差や部品のバラツキ等により検出する流量が異なってくる、この検出流量の差を補正して学習、記憶するものである。１７はＣＯセンサー値学習手段で、給湯燃焼バーナ４と暖房燃焼バーナ５が燃焼していない時に、ＣＯセンサー８の初期値をゼロ点として学習、記憶する。給湯燃焼バーナ４か暖房燃焼バーナ５が燃焼時には、ＣＯセンサー値と学習したゼロ点の差分から燃焼中のＣＯ濃度を計測する。１８は操作スイッチで、熱源機１を制御する熱源機制御装置２１の中にある複数のスイッチである。１９は学習値リセット操作判定手段で、操作スイッチ１８の特定の操作により学習値をリセットするかどうかを判断する。２０は表示手段で、操作スイッチ１８の操作により学習値リセット操作手段１９が学習値リセットと判断した場合に、学習値リセット可能状態にあることや、リセットしたい学習値等を選択できるように表示するものである。２２は学習値リセット手段で、学習値リセット操作判定手段１９により所定の学習値リセットが確定した際には、所定の学習値を初期化する。
【００２０】
以上のように構成された給湯機において、本発明の第１の手段の動作について説明する。
【００２１】
給湯栓２５を開けると給湯流量センサー２３が流量を検出し、給湯流量センサー２３の検出した流量により給湯燃焼バーナ４の燃焼量を決定して燃焼させる。給湯燃焼バーナ４によって給湯熱交換器２は加熱され、給湯栓２５に湯を流すことができる。この時、給湯熱交換器２から流れる流量を水量制御弁９により制御する。水量制御弁９は給湯燃焼バーナ４の燃焼に余裕がある場合には、給湯栓２５に流れる流量を増加させ、使い勝手をよくすることができる。給湯栓２５からの湯温が安定した際には、水量制御学習手段１０により水量制御弁９の駆動位置を学習しておき、次に使用者が給湯栓２５を開けるときには、水量制御学習手段１０によりはじめから給湯栓２５に流れる流量を増やすことができる。水量制御弁９を交換した場合には、前記水量制御弁の学習値を一旦初期化する必要がある。初期化する際には、通常時には別の用途に使用している複数の操作スイッチ１８にある特定の操作することで、学習値リセット操作判定手段１９が学習値を初期化するスイッチ操作されたと判断すると、表示手段２０に学習値リセット状態であることを認識できる表示をする。さらに、操作スイッチ１８により水量制御の学習値をリセットする項目に選択し、操作スイッチ１８の操作により確定させて、水量制御の学習値をリセットする。このように容易に複数の学習値リセット項目の中から水量制御の学習値をリセットすることができる。
【００２２】
第２の手段では、給湯栓２５を開けると給湯流量センサー２３が流量を検出し、給湯流量センサー２３の検出した流量により給湯燃焼バーナ４の燃焼量を決定して燃焼させる。給湯燃焼バーナ４によって給湯熱交換器２は加熱され、給湯栓２５に湯を流すことができる。この時、給湯燃焼バーナ４の燃焼量は、できるだけ早く給湯栓２５に流れる湯温を安定させるため、給湯栓２５からでる湯温が安定した際には、給湯燃焼量学習手段１１により給湯燃焼バーナ４の燃焼量を学習しておき、次に使用者が給湯栓２５を開けるときには、給湯燃焼量学習手段１１によりはじめから学習した燃焼量で燃焼することができる。また、給湯燃焼バーナ４や給湯熱交換器２を交換した場合には、前記給湯燃焼量の学習値を一旦初期化する必要がある。初期化する際には、通常時には別の用途に使用している複数の操作スイッチ１８にある特定の操作することで、学習値リセット操作判定手段１９が学習値を初期化するスイッチ操作されたと判断すると、表示手段２０に学習値リセット状態であることを認識できる表示をする。さらに、操作スイッチ１８により給湯燃焼量の学習値をリセットする項目に選択し、操作スイッチ１８の操作により確定させて、給湯燃焼量の学習値をリセットする。このように容易に複数の学習値リセット項目の中から給湯燃焼量の学習値をリセットすることができる。
【００２３】
第３の手段では、給湯熱交換器２や給湯燃焼バーナ４に誇りや経年変化で使用できなくなったことを判断するための判定および学習を給湯自己診断学習手段１２は行う。給湯燃焼バーナ４や給湯熱交換器２を交換した場合には、前記給湯自己診断の学習値を一旦初期化する必要がある。初期化する際には、通常時には別の用途に使用している複数の操作スイッチ１８にある特定の操作することで、学習値リセット操作判定手段１９が学習値を初期化するスイッチ操作されたと判断すると、表示手段２０に学習値リセット状態であることを認識できる表示をする。さらに、操作スイッチ１８により給湯自己診断の学習値をリセットする項目に選択し、操作スイッチ１８の操作により確定させて、給湯自己診断の学習値をリセットする。このように容易に複数の学習値リセット項目の中から給湯自己診断の学習値をリセットすることができる。
【００２４】
第４の手段では、暖房熱交換器３や暖房燃焼バーナ５に誇りや経年変化で使用できなくなったことを判断するための判定および学習を暖房自己診断学習手段１３は行う。暖房熱交換器３や暖房燃焼バーナ５を交換した場合には、前記暖房自己診断の学習値を一旦初期化する必要がある。初期化する際には、通常時には別の用途に使用している複数の操作スイッチ１８にある特定の操作することで、学習値リセット操作判定手段１９が学習値を初期化するスイッチ操作されたと判断すると、表示手段２０に学習値リセット状態であることを認識できる表示をする。さらに、操作スイッチ１８により暖房自己診断の学習値をリセットする項目に選択し、操作スイッチ１８の操作により確定させて、暖房自己診断の学習値をリセットする。このように容易に複数の学習値リセット項目の中から給湯自己診断の学習値をリセットすることができる。
【００２５】
第５の手段では、浴槽２４に湯はりを行う際には、注湯電磁弁６を開ける。注湯電磁弁６を開けることで、給湯流量センサー２３が流量を検出し、給湯流量センサー２３の検出した流量により給湯燃焼バーナ４の燃焼量を決定して燃焼させる。給湯燃焼バーナ４によって給湯熱交換器２は加熱され、浴槽２４に湯を流すことができる。この時、浴槽の形状や浴槽２４への注湯流量等を湯張り運転学習手段１４により記憶しておき、２回目以降、浴槽２４に湯張りを行う際には、短時間で湯張りを行えるようにしている。浴槽２４や給湯流量センサー２３を交換した場合には、前記湯張り運転の学習値を一旦初期化する必要がある。初期化する際には、通常時には別の用途に使用している複数の操作スイッチ１８にある特定の操作することで、学習値リセット操作判定手段１９が学習値を初期化するスイッチ操作されたと判断すると、表示手段２０に学習値リセット状態であることを認識できる表示をする。さらに、操作スイッチ１８により湯張り運転の学習値をリセットする項目に選択し、操作スイッチ１８の操作により確定させて、湯張り運転の学習値をリセットする。このように容易に複数の学習値リセット項目の中から湯張り運転の学習値をリセットすることができる。
【００２６】
第６の手段では、熱源機１と暖房端末２６が正常に接続されていて、暖房運転時には、暖房端末２６に暖房温水が流れるかどうかを、施行終了時に暖房試運転を実施して確認する。この暖房試運転が正常に終了したかどうかを、暖房試運転学習手段１５により記憶する。また、暖房端末２６交換時には、暖房試運転の学習値を一旦初期化する必要がある。初期化する際には、通常時には別の用途に使用している複数の操作スイッチ１８にある特定の操作することで、学習値リセット操作判定手段１９が学習値を初期化するスイッチ操作されたと判断すると、表示手段２０に学習値リセット状態であることを認識できる表示をする。さらに、操作スイッチ１８により暖房試運転の学習値をリセットする項目に選択し、操作スイッチ１８の操作により確定させて、暖房試運転の学習値をリセットする。このように容易に複数の学習値リセット項目の中から暖房試運転の学習値をリセットすることができる。
【００２７】
第７の手段では、給湯燃焼バーナ４や暖房燃焼バーナ５が燃焼した時に排出されるＣＯ濃度をＣＯセンサー８により検出する際にはＣＯセンサーの初期学習値が必要である。ＣＯセンサー８交換時には、ＣＯセンサーの学習値を一旦初期化する必要がある。初期化する際には、通常時には別の用途に使用している複数の操作スイッチ１８にある特定の操作することで、学習値リセット操作判定手段１９が学習値を初期化するスイッチ操作されたと判断すると、表示手段２０に学習値リセット状態であることを認識できる表示をする。さらに、操作スイッチ１８によりＣＯセンサーの学習値をリセットする項目に選択し、操作スイッチ１８の操作により確定させて、ＣＯセンサーの学習値をリセットする。このように容易に複数の学習値リセット項目の中からＣＯセンサーの学習値をリセットすることができる。
【００２８】
第８の手段では、注湯電磁弁６を開けて、浴槽２４に湯張り中に使用者が給湯栓２５を開けた場合、注湯電磁弁６を閉じて、浴槽２４への湯張りを待機させる。給湯栓２５の使用を検出するのに、給湯流量センサー２３と注湯流量センサー７に流れる流量差から検出する。注湯流量補正手段１６は、あらかじめ給湯栓２５が未使用時に、注湯電磁弁６を開けて給湯流量センサー２３と注湯流量センサー７に流れる流量差を記憶する。給湯流量センサー２３や注湯流量センサー７を交換した場合には、前記注湯流量補正の学習値を一旦初期化する必要がある。初期化する際には、通常時には別の用途に使用している複数の操作スイッチ１８にある特定の操作することで、学習値リセット操作判定手段１９が学習値を初期化するスイッチ操作されたと判断すると、表示手段２０に学習値リセット状態であることを認識できる表示をする。さらに、操作スイッチ１８により注湯流量補正の学習値をリセットする項目に選択し、操作スイッチ１８の操作により確定させて、注湯流量補正の学習値をリセットする。このように容易に複数の学習値リセット項目の中から注湯流量補正の学習値をリセットすることができる。
【００２９】
第９の手段では、水量制御学習手段１０、給湯燃焼量学習手段１１、給湯自己診断学習手段１２、暖房自己診断学習手段１３、湯張り運転学習手段１４、暖房試運転学習手段１５、注湯流量補正手段１６、ＣＯセンサー値学習手段１７、により学習した値を不揮発性メモリー２７に記憶させることで、停電が発生した場合でもそれぞれの学習値のリセットされた記憶を保持することができる。
【産業上の利用可能性】
【００３０】
以上のように、本発明にかかる給湯制御装置は、他の用途に使用しているスイッチを使用して、複数の学習値を複雑な操作することなく初期化することができるので、家庭用給湯機に適用できる。
【図面の簡単な説明】
【００３１】
【図１】本発明の実施の形態１における給湯機の構成図
【符号の説明】
【００３２】
１  熱源機
２  給湯熱交換器
３  暖房熱交換器
４  給湯燃焼バーナ
５  暖房燃焼バーナ
６  注湯電磁弁
７  注湯流量センサー
８  ＣＯセンサー
９  水量制御弁
１０  水量制御学習手段
１１  給湯燃焼量学習手段
１２  給湯自己診断学習手段
１３  暖房自己診断学習手段
１４  湯張り運転学習手段
１５  暖房試運転学習手段
１６  注湯流量補正手段
１７  ＣＯセンサー値学習手段
１８  操作スイッチ
１９  学習値リセット操作判定手段
２０  表示手段
２１  熱源機制御装置
２２  学習値リセット手段
２３  給湯流量センサー
２４  浴槽
２５  給湯栓
２６  暖房端末
２７  不揮発性メモリー
【図１】
2005195241.tif 000003